(57)【要約】【課題】酸化触媒の排気に微量に生成される酸成分を生成しないように前段で脱硫処理し、錆びにくく、低価格の生ごみ処理機を提供することを目的とする。【解決手段】厨芥を収納する生ごみ収納部２２と、前記厨芥を加熱する加熱手段２４と、前記生ごみ収納部２２内の空気を前記生ごみ収納部２２より排出する排出手段３４と、前記生ごみ収納部２２より排出された排気を脱臭する脱臭手段３０と、前記排気を脱硫処理する脱硫手段３７とを備えたもので、排気中の微量の硫黄成分を脱硫処理することで、機器の腐食の生じにくく低価格の生ごみ処理機を提供できる。【選択図】  図１
2005013777.tif 000002
【特許請求の範囲】
【請求項１】
厨芥を収納する生ごみ収納部と、前記厨芥を加熱する加熱手段と、前記生ごみ収納部内の空気を前記生ごみ収納部より排出する排出手段と、前記生ごみ収納部より排出された排気を脱臭する脱臭手段と、前記排気を脱硫処理する脱硫手段とを備えた生ごみ処理機。
【請求項２】
脱臭手段は、加熱され臭気を脱臭する酸化触媒と、前記酸化触媒を加熱する酸化触媒加熱手段とから構成される請求項１記載の生ごみ処理機。
【請求項３】
脱硫手段を、酸化触媒の排気上流側に設けた請求項２記載の生ごみ処理機。
【請求項４】
脱硫手段を容器内に挿入し、前記容器および前記脱硫手段を、酸化触媒の外周に設けた請求項２記載の生ごみ処理機。
【請求項５】
脱硫手段を、酸化触媒の外周に設けた請求項２記載の生ごみ処理機。
【請求項６】
脱硫手段を、脱臭手段と排出手段とを連通する連結経路に設けた請求項１記載の生ごみ処理機。
【請求項７】
連結経路内に、吸着剤または吸着剤を混入した材料から形成した部材を配置した請求項６記載の生ごみ処理機。
【請求項８】
吸着剤または吸着剤を混入した材料から形成した部材は、通気性を有する請求項７記載の生ごみ処理機。
【発明の詳細な説明】
【０００１】
【発明の属する技術分野】
本発明は台所等で出る生ごみを処理する生ごみ処理機に関するものである。
【０００２】
【従来の技術】
従来、この種の生ごみ処理機としては、図７に記載されているようなものがあった。図７において、１は生ごみ処理機本体、２は生ごみを収納する生ごみ収納部で、底面に生ごみを撹拌する撹拌羽根３を備えている。この生ごみ収納部２の上部に生ごみを加熱するヒータからなる加熱手段４が配してある。加熱手段４は加熱用ヒ−タ５及び、加熱ファン６から構成され、熱風を生ごみに当てて生ごみの表面を加熱乾燥する。なお加熱ファン６は加熱モーター７により回転駆動される。
【０００３】
また、生ごみ収納部２の上方に吸気口８が設けられており、この吸気口８は生ごみ収納部２を介して連結通路９を通じて脱臭手段１０に接続されている。脱臭手段１０は加熱されて臭気を脱臭する触媒１１と、触媒１１を加熱する触媒加熱ヒータ１２で構成し、触媒１１を介して臭気を脱臭し、排出口１３より外部に排出する排気手段１４（排気ファン１５、排気モーター１６、冷却ファン１７）から構成されている。生ごみ処理機本体１内には制御回路１８、撹拌羽根３を駆動する駆動装置１９を設けてある。
【０００４】
上記従来の生ごみ処理機において、生ごみ処理機本体１を運転させると、加熱手段４による生ごみの加熱と、脱臭手段１０の加熱手段である触媒加熱ヒータ１２が作動し触媒１１が加熱され、排出手段１４も作動し、吸気口８から外気が吸引され、生ごみ収納部２内の臭気を含む空気を脱臭手段１０で脱臭し、排出口１３より大気に空気が排出される（例えば、特許文献１参照）。
【０００５】
【特許文献１】
特開２００２−３１５８１５号公報
【０００６】
【発明が解決しようとする課題】
しかしながら上記従来の生ごみ処理機は、脱臭手段に酸化触媒を使用しており、排気中に微量の酸成分が生成され、機器の腐食に対する配慮が必要でコスト高になってしまう。
【０００７】
本発明は上記課題を解決するもので、酸化触媒の排気に微量に生成される酸成分を脱硫処理し、錆びにくく、低価格の生ごみ処理機を提供することを目的とする。
【０００８】
【課題を解決するための手段】
上記の目的を達成するために本発明は、厨芥を収納する生ごみ収納部と、前記厨芥を加熱する加熱手段と、前記生ごみ収納部内の空気を前記生ごみ収納部より排出する排出手段と、前記生ごみ収納部より排出された排気を脱臭する脱臭手段と、前記排気を脱硫処理する脱硫手段とを備えたもので、排気中の微量の硫黄成分を脱硫処理することで、機器の腐食の生じにくく低価格の生ごみ処理機を提供できる。
【０００９】
【発明の実施の形態】
本発明の請求項１記載の発明によれば、厨芥を収納する生ごみ収納部と、前記厨芥を加熱する加熱手段と、前記生ごみ収納部内の空気を前記生ごみ収納部より排出する排出手段と、前記生ごみ収納部より排出された排気を脱臭する脱臭手段と、前記排気を脱硫処理する脱硫手段とを備えたもので、排気中の微量の硫黄成分を脱硫処理することで、機器の腐食の生じにくく低価格の生ごみ処理機を提供できる。具体的には、微量の硫黄成分をマンガンなどに吸着させて使用するものである。
【００１０】
本発明の請求項２記載の発明によれば、脱臭手段は、加熱され臭気を脱臭する酸化触媒と、前記酸化触媒を加熱する酸化触媒加熱手段とから構成されるもので、脱臭手段に酸化触媒を使用しており、排気中に微量の酸成分が生成されるので、脱硫手段中を備えたときの効果が大きい。
【００１１】
本発明の請求項３記載の発明によれば、脱硫手段を、酸化触媒より排気上流側に設けたもので、ごみ収納部より排出された排気が酸化触媒に至るまでに、前記排気中に含まれる酸成分を脱硫処理することで、酸化触媒において硫黄成分の発生を少なくできるとともに、部品構成が簡素化された低価格の生ごみ処理機を提供できる。
【００１２】
本発明の請求項４記載の発明によれば、脱硫手段を容器内に挿入し、前記容器および前記脱硫手段を、酸化触媒の外周に設けたもので、別容器に入れた荒い粒状にマンガンを添着して脱硫手段として脱臭手段の外周に配置し、この内部を空気を通過させるように形成したので、脱臭手段の断熱材を兼ねることができ低価格の生ごみ処理機を提供できる。
【００１３】
本発明の請求項５記載の発明によれば、脱硫手段を、酸化触媒の外周に設けたもので、荒い粒状にマンガンを添着して酸化触媒の外周に設けたので、断熱材を兼ねると共に部品構成を簡素化し、低価格の生ごみ処理機を提供できる。
【００１４】
本発明の請求項６記載の発明によれば、脱硫手段を、脱臭手段と排出手段とを連通する連結経路に設けたもので、部品交換を必要とするような構成の場合に適した生ごみ処理機を提供できる。また、ごみ収納部より排出された排気が酸化触媒に至るまでに、前記排気中に含まれる酸成分を脱硫処理することで、酸化触媒において硫黄成分の発生を少なくできる。
【００１５】
本発明の請求項７記載の発明によれば、連結経路内に、吸着剤または吸着剤を混入した材料から形成した部材を配置したもので、処理量が多い場合などの使用条件の厳しいところで、使用されて脱硫手段が劣化した場合も、部材の交換だけで性能復帰ができる。
【００１６】
本発明の請求項８記載の発明によれば、吸着剤または吸着剤を混入した材料から形成した部材は、通気性を有するもので、空気成分と接触効率の高い生ごみ処理機を提供できる。また、通気性を有する部材はフィルターで、ステンレス網などの腐食しにくいものにマンガンなどの吸着剤を添着して構成する。
【００１７】
【実施例】
（実施例１）
以下、本発明の第１の実施例について図１をもとに説明する。図１において、２１は生ごみ処理機本体、２２は生ごみを収納する生ごみ収納部で、底面に生ごみを撹拌する撹拌羽根２３を備えている。この生ごみ収納部２２の上部に生ごみを加熱するヒータである加熱手段２４が配してある。加熱手段２４は加熱用ヒ−タ２５及び、加熱ファン２６から構成され、熱風を生ごみに当てて生ごみの表面を加熱乾燥する。なお加熱ファン２６は加熱モーター２７により回転駆動される。
【００１８】
また、生ごみ収納部２２の上方に吸気口２８が設けられており、この吸気口２８は生ごみ収納部２２を介して連結経路２９を通じて脱臭手段３０に接続されている。脱臭手段３０は加熱されて臭気を脱臭する触媒３１と、触媒３１を加熱する触媒加熱ヒータ３２で構成し、触媒３１を介して臭気を脱臭し、排出口３３より生ごみ収納部２２内の空気を外部に排出する排気手段３４（ターボファン３５、排気モーター３６）から構成されている。加熱手段２４と脱臭手段３０は、連結経路２９を介して接続されている。連結経路２９内には、脱硫手段３７が設けてある。生ごみ処理機本体２１内には制御回路３８、撹拌羽根２３を駆動する駆動装置３９を設けてある。
【００１９】
上記構成において動作を説明すると、加熱ヒータ２５で加熱された空気が加熱ファン２６によって生ごみ収納部２２内に送り出され、生ごみを加熱乾燥する。加熱された生ごみより発生した蒸気は、排出手段３４であるターボファン３５によって吸引されることにより、連結経路２９を介して脱臭手段３０に至る。同時に吸気口２８より外気が生ごみ収納部２２内に流入する。そして脱臭手段３０の加熱手段である触媒加熱ヒータ３２が作動し、触媒３１が加熱され、生ごみ収納部２２内の臭気を含む空気は、脱臭手段３０で脱臭された後、室温程度の温度まで冷却されて排出口３３より外部に排出される。同時に生ごみは、回転する撹拌刃２３により、撹拌・粉砕されながら加熱され、加熱終了後は、減量・細分化される。
【００２０】
このとき、空気成分に微量に含まれる硫黄成分は、脱硫手段３７により吸着され、酸成分が生成されないようになり、機器が腐食するのを防ぐ。よって腐食しにくく低価格の生ごみ処理機を構成することができる。
【００２１】
（実施例２）
以下、本発明の第２の実施例について図２をもとに説明する。なお、上記実施例と同一部品には同一符号を付し、その説明は省略する。
【００２２】
図２において、脱臭手段３０の酸化触媒３１の排気上流側直前に、マンガンなどを添着した板状の部材である脱硫手段３７を配置して、酸化触媒３１に流入するまえに硫黄成分を吸着するようにしている。
【００２３】
（実施例３）
以下、本発明の第３の実施例について図３をもとに説明する。なお、上記実施例と同一部品には同一符号を付し、その説明は省略する。
【００２４】
図３において、脱臭手段３０の酸化触媒３１の外周に二重の別容器４０を配置し、この中に脱硫手段３７である荒い粒状のマンガンなどを配置し、排気空気を別容器４０の内側部に設けた開口４０ａを通じて、この中を通過させるように構成している。このため、この別容器４０および脱硫手段３７が断熱材の効果を発揮する。
【００２５】
（実施例４）
以下、本発明の第４の実施例について図４をもとに説明するなお、上記実施例と同一部品には同一符号を付し、その説明は省略する。
【００２６】
図４において、脱臭手段３０の酸化触媒３１の外周に、脱硫手段３７である荒い粒状のマンガンなどを配置し、その外周を容器４０にて覆い構成する。そして、排気空気をこの中を通過させた後、排気するように構成している。このため、この脱硫手段３７がが断熱材の効果を発揮する。
【００２７】
（実施例５）
以下、本発明の第５の実施例について図５をもとに説明する。上記実施例と同一部品には同一符号を付し、その説明は省略する。
【００２８】
図５において、連結経路２９内に脱硫手段３７を配置する。略円筒状に成形したマンガンなどの脱硫剤からなる脱硫手段３７を設置するもので、排気空気をこの中を通過させた後、排気するように構成している。
【００２９】
また、連結経路２９自体をフッ素ゴムなどの耐熱性の高い材料で形成し、この内部にマンガン等の脱硫手段３７である吸着剤を配置し、空気をこの中を通過させた後、排気するように構成している。
【００３０】
（実施例６）
以下、本発明の第６の実施例について図６をもとに説明する。上記実施例と同一部品には同一符号を付し、その説明は省略する。
【００３１】
図６において、連結経路２９に脱硫手段３７を配置する他の実施例である。連結経路２９の中にステンレスなどの腐食しにくい金属などの通気性を有するフィルターに、マンガンなどを添着し吸着剤を設置するもので、排気空気をこの中を通過させた後、排気するように構成している。
【００３２】
【発明の効果】
本発明によれば、酸化触媒の排気に微量に生成される酸成分を脱硫処理し、錆びにくく、低価格の生ごみ処理機を提供できる。
【図面の簡単な説明】
【図１】本発明の第１の実施例の生ごみ処理機断面図
【図２】本発明の第２の実施例の脱臭手段の排気上流側に脱硫手段を設けた要部断面図
【図３】本発明の第３の実施例の脱臭手段の外周に別容器で脱硫手段を設けた要部断面図
【図４】本発明の第４の実施例の脱臭手段の外周に一体に脱硫手段を設けた要部断面図
【図５】本発明の第５の実施例の脱硫手段を連結経路内に配置した要部断面図
【図６】本発明の第６の実施例のフィルター状の脱硫手段を連結経路内に配置した要部断面図
【図７】従来の生ごみ処理機の本体断面図
【符号の説明】
２２  生ごみ収納部
２４  加熱手段
２９  連結経路
３０  脱臭手段
３３  排出口
３４  排出手段
３５  排気ファン
３７  脱硫手段
４０  別容器
【図１】
2005013777.tif 000003
【図２】
2005013777.tif 000004
【図３】
2005013777.tif 000005
【図４】
2005013777.tif 000006
【図５】
2005013777.tif 000007
【図６】
2005013777.tif 000008
【図７】
2005013777.tif 000009